(57)【要約】【課題】  第１レンズと第２レンズの光軸を高精度で効率良く位置合わせすることができる組み合わせレンズの製造方法およびレンズ位置合わせ装置を提供する。【解決手段】  レンズ位置合わせ装置１０は、第１レンズ１を載置して保持するレンズ保持部３、第１レンズ１に組み合わされた第２レンズ２の位置を調整する調整治具４、第２レンズ２の位置を調整するときに第１レンズ１を回転させる回転台５、第１レンズ１または第２レンズ２の表面で波面変換された変換光を観測する変換光検出手段としての偏心顕微鏡６、偏心顕微鏡６の観測値（変換光）をデータとして出力するＣＣＤカメラ７、ＣＣＤカメラ７から出力されたデータを演算処理する演算装置８、演算装置８での演算処理の結果に基づいて調整治具４を制御する制御装置９を主要部として備える。【選択図】  図１
2007058094.tif 000002
【特許請求の範囲】
【請求項１】
第１レンズおよび第２レンズを有する組み合わせレンズの製造方法であって、
光源と変換光検出手段に対応させて前記第１レンズを配置し、前記第１レンズの前記光源に近い側の表面による変換光と前記光源に遠い側の表面による変換光を前記変換光検出手段により検出して前記第１レンズの光軸を基準軸に合わせる過程と、
前記第１レンズに前記第２レンズを組み合わせる過程と、
前記第２レンズの前記光源に近い側の表面による変換光と前記光源に遠い側の表面による変換光を前記変換光検出手段により検出して前記第１レンズの光軸に対する前記第２レンズの光軸のチルト量を算出する過程と、
該チルト量に基づいて前記第２レンズの位置を調整するために必要な調整量を算出する過程と、
前記調整量に基づいて前記第２レンズの位置を調整して前記第２レンズの光軸を前記第１レンズの光軸に合わせる過程と、
前記第１レンズの光軸と前記第２レンズの光軸を合わせた後、前記第１レンズと前記第２レンズを接着する過程と
を備えることを特徴とする組み合わせレンズの製造方法。
【請求項２】
前記調整量は、前記チルト量が最大値を示す調整面に基づいて算出することを特徴とする請求項１に記載の組み合わせレンズの製造方法。
【請求項３】
前記第２レンズの光軸を前記第１レンズの光軸に合わせる過程で、前記第２レンズの位置を調整する調整治具を前記調整面での調整位置に対応させて配置することを特徴とする請求項２に記載の組み合わせレンズの製造方法。
【請求項４】
前記調整量は、前記基準軸と平行な方向で算出することを特徴とする請求項１ないし請求項３のいずれか一つに記載の組み合わせレンズの製造方法。
【請求項５】
前記第２レンズの光軸を前記第１レンズの光軸に合わせる過程は、前記第１レンズを回転させながら行うことを特徴とする請求項１ないし請求項４のいずれか一つに記載の組み合わせレンズの製造方法。
【請求項６】
第１レンズの光軸と該第１レンズに組み合わされる第２レンズの光軸との位置合わせを行うレンズ位置合わせ装置であって、
前記第１レンズと前記第２レンズに光を照射する光源と、
前記第１レンズまたは前記第２レンズが前記光を波面変換した変換光を検出する変換光検出手段と、
前記第１レンズにより波面変換された前記変換光に基づいて前記光源および前記変換光検出手段で規定される基準軸に光軸を合わせた第１レンズを保持するレンズ保持部と、
前記第２レンズにより波面変換された前記変換光に基づいて前記第１レンズの光軸に対する前記第２レンズの光軸のチルト量を算出して前記第２レンズの位置を調整するための調整量を算出する演算装置と、
前記調整量に基づいて前記第２レンズの位置を調整する調整治具と
を備えることを特徴とするレンズ位置合わせ装置。
【請求項７】
前記調整治具は、前記チルト量が最大値を示す調整面に対応させて配置する構成としてあることを特徴とする請求項６に記載のレンズ位置合わせ装置。
【請求項８】
前記調整量は、前記基準軸から前記調整治具の調整位置までの距離と前記チルト量とから求められることを特徴とする請求項６または請求項７に記載のレンズ位置合わせ装置。
【請求項９】
前記調整治具は、前記調整量に対応して前記基準軸と平行な方向に移動する構成としてあることを特徴とする請求項６ないし請求項８のいずれか一つに記載のレンズ位置合わせ装置。
【請求項１０】
前記第１レンズを回転させる回転台を備えることを特徴とする請求項６ないし請求項９のいずれか一つに記載のレンズ位置合わせ装置。
【発明の詳細な説明】
【技術分野】
【０００１】
本発明は、光学機器のレンズ光学系に組み込まれる組み合わせレンズの製造方法およびレンズ位置合わせ装置に関する。
【背景技術】
【０００２】
光学機器のレンズ光学系に組み込まれる２枚のレンズを有する組み合わせレンズの製造方法として、特許文献１（以下、従来例という）に開示された方法が知られている。
【０００３】
この従来例に係る組み合わせレンズの製造方法では、２枚のレンズの接合において、まず２枚のレンズを組み合わせ、どちらか一方のレンズを心出しした後に、２枚目のレンズを回転させることにより回転位相角に対するレンズ外径の変位を測定してレンズの中心を演算し、その中心と回転軸中心とを一致させている。
【０００４】
図４は、従来例に係る組み合わせレンズの製造方法での光軸を合わせる過程を説明する説明図である。
【０００５】
汎用ホルダー１０３ａに配置した第１レンズ１０１の外径の心出しを行った後、第１レンズ１０１の光軸Ｌａｘ１に対して第２レンズ１０２の光軸Ｌａｘ２がチルト量α度だけ傾いて配置される（同図（Ａ））。なお、この段階では、第２レンズ１０２を調整する上軸ホルダー１０３ｂは、第２レンズ１０２から離れて配置してある。
【０００６】
次に、上軸ホルダー１０３ｂを第１レンズ１０１の光軸Ｌａｘ１と同方向に移動（下降）させる。チルト量α度の傾きがあることから上軸ホルダー１０３ｂが第２レンズ１０２の上面に局部的に当接を始めた時点では、光軸Ｌａｘ１に対して当接を始めた局部から離れた反対側の位置では、第２レンズ１０２の上面と上軸ホルダー１０３ｂに隙間Ｇｐが生じる（同図（Ｂ））。
【０００７】
上軸ホルダー１０３ｂを更に下降させて、第１レンズ１０１に対する第２レンズ１０２の接合面を矢符Ｓｐ方向に移動させ、第１レンズ１０１（光軸Ｌａｘ１）に対して第２レンズ１０２（光軸Ｌａｘ２）の光軸合わせ（レンズ位置合わせ）を行うことにより第１レンズ１０１と第２レンズ１０２を接合する（同図（Ｃ））。
【特許文献１】特開２００３−２１７６８号公報
【発明の開示】
【発明が解決しようとする課題】
【０００８】
ところが、従来のレンズ組み合わせ方法では第１レンズ１０１の外径の心出しを行って光軸Ｌａｘ１を特定していた。つまり、レンズ外径を測定してレンズ中心を演算する必要があることから、レンズ接合過程における測定回数が多くなり、組み合わせ時間が長時間となり作業効率が低いという問題があった。また、レンズ外径を測定できるレンズ形状が必要になるという問題があった。
【０００９】
本発明はこのような状況に鑑みてなされたものであり、第１レンズの光軸を基準軸に一致させて配置し、配置した第１レンズに第２レンズを組み合わせて第１レンズ（の光軸）と第２レンズ（の光軸）との間の偏心量を測定し、偏心量からレンズ間のチルト量を算出し、調整治具の位置（基準軸からの距離）とチルト量から算出した調整量に応じて第２レンズの位置を調整することにより、第１レンズと第２レンズの光軸を高精度で効率良く位置合わせすることができる組み合わせレンズの製造方法およびレンズ位置合わせ装置を提供する。
【課題を解決するための手段】
【００１０】
本発明に係る組み合わせレンズの製造方法は、第１レンズおよび第２レンズを有する組み合わせレンズの製造方法であって、光源と変換光検出手段に対応させて前記第１レンズを配置し、前記第１レンズの前記光源に近い側の表面による変換光と前記光源に遠い側の表面による変換光を前記変換光検出手段により検出して前記第１レンズの光軸を基準軸に合わせる過程と、前記第１レンズに前記第２レンズを組み合わせる過程と、前記第２レンズの前記光源に近い側の表面による変換光と前記光源に遠い側の表面による変換光を前記変換光検出手段により検出して前記第１レンズの光軸に対する前記第２レンズの光軸のチルト量を算出する過程と、該チルト量に基づいて前記第２レンズの位置を調整するために必要な調整量を算出する過程と、前記調整量に基づいて前記第２レンズの位置を調整して前記第２レンズの光軸を前記第１レンズの光軸に合わせる過程と、前記第１レンズの光軸と前記第２レンズの光軸を合わせた後、前記第１レンズと前記第２レンズを接着する過程とを備えることを特徴とする。
【００１１】
この構成により、２つのレンズを組み合わせて構成する組み合わせレンズの光軸の位置調整を少ない過程で作業効率良く、短時間で、また精度良く行うことができる。
【００１２】
本発明に係る組み合わせレンズの製造方法では、前記調整量は、前記チルト量が最大値を示す調整面に基づいて算出することを特徴とする。
【００１３】
本発明に係る組み合わせレンズの製造方法では、前記第２レンズの光軸を前記第１レンズの光軸に合わせる過程で、前記第２レンズの位置を調整する調整治具を前記調整面での調整位置に対応させて配置することを特徴とする。
【００１４】
本発明に係る組み合わせレンズの製造方法では、前記調整量は、前記基準軸と平行な方向で算出することを特徴とする。
【００１５】
本発明に係る組み合わせレンズの製造方法では、前記第２レンズの光軸を前記第１レンズの光軸に合わせる過程は、前記第１レンズを回転させながら行うことを特徴とする。
【００１６】
本発明に係るレンズ位置合わせ装置は、第１レンズの光軸と該第１レンズに組み合わされる第２レンズの光軸との位置合わせを行うレンズ位置合わせ装置であって、前記第１レンズと前記第２レンズに光を照射する光源と、前記第１レンズまたは前記第２レンズが前記光を波面変換した変換光を検出する変換光検出手段と、前記第１レンズにより波面変換された前記変換光に基づいて前記光源および前記変換光検出手段で規定される基準軸に光軸を合わせた第１レンズを保持するレンズ保持部と、前記第２レンズにより波面変換された前記変換光に基づいて前記第１レンズの光軸に対する前記第２レンズの光軸のチルト量を算出して前記第２レンズの位置を調整するための調整量を算出する演算装置と、前記調整量に基づいて前記第２レンズの位置を調整する調整治具とを備えることを特徴とする。
【００１７】
この構成により、２つのレンズを組み合わせて構成する組み合わせレンズの光軸の位置調整を少ない過程で作業効率良く、短時間で、また精度良く行うことができる。
【００１８】
本発明に係るレンズ位置合わせ装置では、前記調整治具は、前記チルト量が最大値を示す調整面に対応させて配置する構成としてあることを特徴とする。
【００１９】
本発明に係るレンズ位置合わせ装置では、前記調整量は、前記基準軸から前記調整治具の調整位置までの距離と前記チルト量とから求められることを特徴とする。
【００２０】
本発明に係るレンズ位置合わせ装置では、前記調整治具は、前記調整量に対応して前記基準軸と平行な方向に移動する構成としてあることを特徴とする。
【００２１】
本発明に係るレンズ位置合わせ装置では、前記第１レンズを回転させる回転台を備えることを特徴とする。
【発明の効果】
【００２２】
本発明に係る組み合わせレンズ製造方法およびレンズ位置調整方法によれば、第１レンズの光軸を基準軸に一致させて配置し、配置した第１レンズに第２レンズを組み合わせて第１レンズ（の光軸）と第２レンズ（の光軸）との間の偏心量を測定し、偏心量からレンズ間のチルト量を算出し、調整治具の位置（基準軸からの距離）とチルト量から算出した調整量に応じて第２レンズの位置を調整することにより、工程を簡略化するので２つのレンズの光軸を高精度で効率（作業効率、製造効率）良く位置合わせでき安価で高精度の組み合わせレンズを提供することができるという効果を奏する。
【発明を実施するための最良の形態】
【００２３】
以下、本発明の実施の形態を図面に基づいて説明する。
【００２４】
＜実施の形態１＞
図１は、本発明の実施の形態１に係るレンズ位置合わせ装置の主要構成を示す構成図である。
【００２５】
本実施の形態に係るレンズ位置合わせ装置１０は、第１レンズ１（および第１レンズ１に組み合わされた第２レンズ２）を載置して保持するレンズ保持部３、第１レンズ１に組み合わされた第２レンズ２の位置を調整する調整治具４、第２レンズ２の位置を調整するときに第１レンズ１を回転させる回転台５、第１レンズ１または第２レンズ２の表面で波面変換された変換光を観測（検出、測定）する変換光検出手段としての偏心顕微鏡６、偏心顕微鏡６の観測値（観測された変換光）をデータ（画像データ）として出力するＣＣＤカメラ７、ＣＣＤカメラ７から出力されたデータを演算処理する演算装置８、演算装置８での演算処理の結果に基づいて調整治具４を制御する制御装置９を主要部として備える。
【００２６】
レンズ位置合わせ装置１０は、第１レンズ１（光軸Ｌａｘ１）および第２レンズ２（光軸Ｌａｘ２）の位置調整を行うために用いる光を第１レンズ１または第２レンズ２に照射する光源Ｌｓを備え、光源Ｌｓからの光を第１レンズ１または第２レンズ２のレンズ表面で波面変換し、波面変換により得られた変換光を観測光Ｌｍとして偏心顕微鏡６に入射する。また、光源Ｌｓと偏心顕微鏡６とにより調整基準位置としての基準軸Ｌａｘｂを構成する。
【００２７】
光源Ｌｓと偏心顕微鏡６に対応させて配置した第１レンズ１の光軸Ｌａｘ１を基準軸Ｌａｘｂに位置合わせ（光軸合わせ）した後、第２レンズ２を第１レンズ１に組み合わせて第２レンズ２の位置を調整する（第１レンズ１の光軸Ｌａｘ１に対して第２レンズ２の光軸Ｌａｘ２を位置合わせする）ことにより、組み合わせレンズの位置合わせ（光軸合わせ）を行うことができる。
【００２８】
レンズ保持部３は、光源Ｌｓおよび偏心顕微鏡６（変換光検出手段）により規定される基準軸Ｌａｘｂに第１レンズ１により波面変換された変換光を用いて光軸Ｌａｘ１を合わせた第１レンズ１を固定して保持する。
【００２９】
演算装置８は、第１レンズ１に組み合わせた第２レンズ２の表面で波面変換された変換光を偏心顕微鏡６により観測した観測光Ｌｍから第１レンズ１の光軸Ｌａｘ１に対する第２レンズ２の光軸Ｌａｘ２の偏心量（実施の形態２参照。チルト量αおよびレンズの中心ずれ量ｂ）を算出する。
【００３０】
チルト量αが最大値を示す調整面Ｓａｘ２（図２参照）に対応させて調整治具４を配置（第１レンズ１を回転台５により適宜回転）する。この状態で、制御装置９により調整治具４を調整位置Ｐｃ（基準軸Ｌａｘｂからの距離ｄ（治具移動距離ｄ）の位置（図３参照））へ移動し、距離ｄとチルト量αを用いて調整治具４が第２レンズ２の位置を調整するのに必要な調整量ｈ（図３参照）を演算装置８により算出する。つまり、調整治具４を調整面Ｓａｘ２での調整位置Ｐｃに対応させて配置する。
【００３１】
第２レンズ２の位置を調整する調整治具４を調整量ｈに対応させて移動することにより第１レンズ１の光軸Ｌａｘ１に第２レンズ２の光軸Ｌａｘ２を合わせる。このとき、回転台５により第１レンズ１を回転させることにより、チルト量αの調整（補正）と同時にレンズ中心のずれｂ（不図示。式１ないし式３参照）を調整（補正）することができる。なお、調整治具４による調整方向（調整治具４の移動方向）は、基準軸Ｌａｘｂと平行な方向（図上、上下方向、つまり垂直方向）とすることから、より正確な調整が可能となる。
【００３２】
＜実施の形態２＞
本実施の形態に係る組み合わせレンズの製造方法は、実施の形態１に係るレンズ位置合わせ装置（図１参照）を用いて行うことができる。
【００３３】
以下に示すステップＳ１ないしステップＳ８に基づいて、第１レンズ１および第２レンズ２を組み合わせる組み合わせレンズの製造方法（組み立て方法、光軸合わせ方法、位置調整方法、レンズ製造方法）の各過程（ステップ）を説明する。
【００３４】
ステップＳ１：
光源Ｌｓと偏心顕微鏡６との間に位置するレンズ保持部３に第１レンズ１を配置し、第１レンズの心出しを行う。第１レンズの心出しは、偏心顕微鏡６と光源Ｌｓとで規定される基準軸Ｌａｘｂに第１レンズ１の光軸Ｌａｘ１を一致させることにより行う。
【００３５】
具体的には、第１レンズ１の光源に近い側の表面で波面変換された変換光（観測光Ｌｍ：図１参照）と遠い側の表面で波面変換された変換光（観測光Ｌｍ）を変換光検出手段としての偏心顕微鏡６により観測（検出）し、第１レンズ１の光源に近い側の表面で波面変換された変換光と遠い側の表面で波面変換された変換光が基準軸Ｌａｘｂに一致するように第１レンズ１の配置（位置）を調整することにより第１レンズ１の心出しを行う。心出し後、第１レンズ１をレンズ保持部３に固定して保持する。
【００３６】
ステップＳ２：
第１レンズ１に対して光源Ｌｓと反対側に第２レンズ２を嵌合させて組み合わせ、仮の組み立てを行う。
【００３７】
ステップＳ３：
第２レンズ２により波面変換された変換光（光源に近い側の表面で波面変換された変換光（観測光Ｌｍ：図１参照）と遠い側の表面で波面変換された変換光）を偏心顕微鏡６により観測し（つまり、偏心顕微鏡６が備えるＣＣＤカメラ７によってデータとして検出し）、ＣＣＤカメラ７が検出したデータに基づいて演算装置８により第１レンズ１（の光軸Ｌａｘ１）に対する第２レンズ２（の光軸Ｌａｘ２）の偏心状態（偏心量：レンズの光軸の傾き（チルト量α）およびレンズの中心ずれ量ｂ（不図示））を求める。
【００３８】
具体的には、求めた偏心量に基づいて、第２レンズ２の光源から遠い側の表面と基準軸Ｌａｘｂ（第１レンズ１の光軸Ｌａｘ１）の交点を通り、基準軸Ｌａｘｂと直交する第２レンズの光源から遠い側の表面上の交差軸Ａｘ２（図２参照）を算出する。
【００３９】
図２は、本発明の実施の形態２に係る組み合わせレンズの製造方法の説明図であり、第１レンズに対する第２レンズのチルト量が０である第２レンズの表面上の交差軸に垂直で基準軸（第１レンズの光軸）を含む調整面での模式図である。
【００４０】
第２レンズの表面上の交差軸Ａｘ２は基準軸Ｌａｘｂに対して直交をしているので第２レンズ２の第１レンズ１に対するチルト量（チルト成分）が０となっている方向である。したがって、交差軸Ａｘ２に対して垂直で基準軸Ｌａｘｂを含む調整面Ｓａｘ２の平面上に存在する第２レンズ２の表面（を表す線）は、チルト量αが最大値となる。つまり、調整面Ｓａｘ２はチルト量αが最大値を示す位置となる。
【００４１】
ステップＳ４：
ステップＳ３で求めた交差軸Ａｘ２に対して垂直で基準軸Ｌａｘｂを含む調整面Ｓａｘ２の座標を用いて第２レンズ２の光軸Ｌａｘ２の基準軸Ｌａｘｂ（第１レンズ１の光軸Ｌａｘ１）に対するチルト量α（最大のチルト量α）を算出する。
【００４２】
点Ａは第２レンズ２の光源に近い側の表面で波面変換される変換光、点Ｂは第２レンズ２の光源から遠い側の表面で波面変換される変換光の観測点であり、点Ａと点Ｂを結んだ直線が第２レンズ２の光軸Ｌａｘ２となる。ここでは基準軸Ｌａｘｂの方向をＺ軸、調整面Ｓａｘ２上でＺ軸に垂直な方向をＸ軸とおく。調整面Ｓａｘ２に垂直な方向はＹ軸となる。
【００４３】
距離ΔＸ１と距離ΔＸ２は、第１レンズの光軸Ｌａｘ１（基準軸Ｌａｘｂ）に対する点
Ａと点Ｂのそれぞれのずれ量であり、偏心顕微鏡６での測定値としてＣＣＤカメラ７により求められる。
【００４４】
ずれ量ΔＸ１とずれ量ΔＸ２から第２レンズ２の第１レンズ１に対するチルト量αを演
算により求めることができる。
【００４５】
第２レンズ２の第１レンズ１に対するチルト量（チルト角）α、レンズの中心ずれ量ｂ（最終的には消去されるので図示しない）、第１レンズ１の光源に近い側の表面と基準軸Ｌａｘｂとの交点である原点Ｏを用いて、点Ａ、点ＢのＸ軸からのそれぞれの距離Ｚ１、距離Ｚ２を求めると式１、式２が成立する。
【００４６】
ΔＸ１＝ｂ＋Ｚ１・ｔａｎ（α）  ・・・（１）
ΔＸ２＝ｂ＋Ｚ２・ｔａｎ（α）  ・・・（２）
式（１）（２）から中心ずれ量ｂを消去すると、式３が求まる。
【００４７】
α＝ｔａｎ-1｛（ΔＸ２−ΔＸ１）／（Ｚ２−Ｚ１）｝  ・・・（３）
つまり、式（３）より第２レンズ２のチルト量αが算出される。
【００４８】
なお、調整面Ｓａｘ２でのチルト量αは、上述したとおり、最大のチルト量αを表している。
【００４９】
ステップＳ５：
第１レンズ１を回転させて調整面Ｓａｘ２の平面上に調整治具４が位置するように（チルト量αが最大である位置に調整治具４を配置）した後、調整治具４を基準軸Ｌａｘｂ（第１レンズ１の光軸Ｌａｘ１）および交差軸Ａｘ２からＸ軸方向に治具移動距離ｄ（基準軸Ｌａｘｂから調整治具４の調整位置Ｐｃまでの距離ｄ）だけ移動させ、調整位置Ｐｃに配置する（図３参照）。
【００５０】
図３は、図２での調整治具の移動状態およびチルト量に対応する調整量を示す概念図である。
【００５１】
調整治具４は基準軸Ｌａｘｂと交差軸Ａｘ２（基準軸Ｌａｘｂと直交する第２レンズの光源から遠い側の表面上の軸）の交点からＺ軸のプラス方向に位置していなければならない。調整治具４の移動（治具移動距離ｄ）は、調整量ｈを大きくして調整を容易にするために第２レンズ２の外径に近い部分まで行うことが好ましく、第２レンズ２の有効光学面を外れる周辺部位まで移動させるのが好ましいが、これに限るものではなく、適宜設定することができる。
【００５２】
ステップＳ６：
ステップＳ４で求めたチルト量αと適宜設定した距離ｄ（治具移動距離ｄ）から、第２レンズ２の位置を押圧して調整するための調整量ｈを算出する。なお、調整治具４は、基準軸Ｌａｘｂと平行な方向に移動させる構成とすることにより、調整量ｈの算出が容易となり、また、正確な制御が可能となる。
【００５３】
調整量ｈは式４から求めることができる。
【００５４】
ｈ＝ｄ・ｔａｎ（α）＝ｄ・｛（ΔＸ２−ΔＸ１）／（Ｚ２−Ｚ１）｝    ・・・（４
）
ステップＳ７：
式４で算出した調整量ｈに対応させて第２レンズ２の位置を調整治具４により調整する。
【００５５】
具体的には、第２レンズ１の調整量ｈを算出した後、回転台５により第１レンズ１を回転させながら、演算装置８からの制御信号により制御装置９を介して調整治具４を徐々に矢符Ｐｒ方向へ移動させ、第２レンズ２を調整量ｈに対応させて移動させる。第１レンズ１を回転させながら第２レンズを移動させることから、チルト量αの補正（調整）と同時にレンズ間の中心ずれ量ｂ（式１、２、３参照）も補正され、第１レンズ１と第２レンズ２の光軸合わせ（位置調整）が完了する。
【００５６】
ステップＳ８：
光軸合わせが完了した第１レンズ１および第２レンズ２は、接着剤などによって適宜接着固定され、組み合わせレンズが製造される。
【００５７】
なお、上述した各ステップでの演算（演算処理）は所定のプログラムを予めインストールされたコンピュータにより構成される演算装置８においてＣＣＤカメラ７からのデータを用いて直接行うことができる。
【実施例】
【００５８】
実施の形態２での数値例を示す（図２、図３参照）。
【００５９】
実施の形態２に係る組み合わせレンズは、第１レンズ１を凹レンズとし、第２レンズ２を凸レンズとしてある。組み合わせ部分の曲率半径が５ｍｍ、レンズの外径が両方とも７．２ｍｍであるとした場合、第２レンズ２で波面変換され偏心顕微鏡６で測定される点Ａ、点Ｂは第１レンズ１に原点Ｏを取っていることから、点ＡのＺ軸の位置はＺ１＝５．８ｍｍ、点ＢのＺ軸の位置はＺ２＝１０７．１ｍｍとなる。
【００６０】
第１レンズ１に第２レンズ２を嵌めこんだ場合において、第２レンズ２が第１レンズ１に対して２０分のチルト量αを発生したとすると、偏心顕微鏡６で測定される第２レンズ２の偏心量（ずれ量）は点Ａに対してはΔＸ１＝２２μｍ、点Ｂに対してはΔＸ２＝６０
０μｍとなる。
【００６１】
この状態で、実施の形態２に係る製造方法を適用して第１レンズ１に対して第２レンズ２の軸合わせを行う場合には、調整治具４を基準軸Ｌａｘｂから距離ｄ＝３．５ｍｍ（レンズの外径の半分程度）の調整位置Ｐｃに移動する。したがって、ｄ＝３．５ｍｍおよびチルト量α＝２０分であるから、第２レンズ２の位置を調整するために必要な調整量ｈは１７μｍとなる。
【００６２】
調整量ｈ＝１７μｍに対応させて第２レンズ２の移動（調整）を行うことにより、ΔＸ
１＝１．１μｍ、ΔＸ２＝２５．４μｍ、第１レンズ１と第２レンズ２との間のチルト量
αは０．８分となる組み合わせレンズを得ることができた。したがって、当初のチルト量２０分／調整後のチルト量０．８分＝２５、つまり、チルト量αを２５倍改善（低減）できたことになる。
【図面の簡単な説明】
【００６３】
【図１】本発明の実施の形態１に係るレンズ位置合わせ装置の主要構成を示す構成図である。
【図２】本発明の実施の形態２に係る組み合わせレンズの製造方法の説明図であり、第１レンズに対する第２レンズのチルト量が０である第２レンズの表面上の交差軸に垂直で基準軸（第１レンズの光軸）を含む調整面での模式図である。
【図３】図２での調整治具の移動状態およびチルト量に対応する調整量を示す概念図である。
【図４】従来例に係る組み合わせレンズの製造方法での光軸を合わせる過程を説明する説明図である。
【符号の説明】
【００６４】
１  第１レンズ
２  第２レンズ
３  レンズ保持部
４  調整治具
５  回転台
６  偏心顕微鏡（変換光検出手段）
７  ＣＣＤカメラ
８  演算装置
９  制御装置
１０  レンズ位置調整装置
Ａｘ２  交差軸
ｄ  距離（治具移動距離）
ｈ  調整量
Ｌａｘ１  光軸
Ｌａｘ２  光軸
Ｌａｘｂ  基準軸
Ｌｍ  観測光
Ｌｓ  光源
Ｐｃ  調整位置
Ｓａｘ２  調整面
α  チルト量
【図１】
2007058094.tif 000003
【図２】
2007058094.tif 000004
【図３】
2007058094.tif 000005
【図４】
2007058094.tif 000006